【手続補正書】
【提出日】平成15年9月8日(2003.9.8)
【手続補正１】
【補正対象書類名】特許請求の範囲
【補正対象項目名】全文
【補正方法】変更
【補正の内容】
【特許請求の範囲】
【請求項１】
スペクトル拡散信号を放送するサブシステム送信機を備えた放送サブシステムであって、
該スペクトル拡散信号は、少なくとも１つの加入者局に放送されるべき情報を表し、該スペクトル拡散信号は、通信チャンネルを含む周波数帯域にわたって送信され、
該加入者局のそれぞれは、加入者局受信機と加入者局送信機とを含み、
該加入者局は、該通信チャンネル上に信号を送信すると同時に、該スペクトル拡散信号を受信することが可能である、放送サブシステム。
【請求項２】
前記通信チャンネルは、セルラーシステムのチャンネルを含む、請求項１に記載の放送サブシステム。
【請求項３】
前記放送サブシステムは、受信機をさらに備え、
該受信機は、前記通信チャンネルで信号を受信するための回路を含む、請求項１に記載の放送サブシステム。
【請求項４】
前記放送サブシステムは、前記通信チャンネルで加入者局送信機から信号を受信する、請求項３に記載の放送サブシステム。
【請求項５】
前記放送サブシステムは、スペクトル拡散符号化器と、情報フォーマット化能力とをさらに備え、
該スペクトル拡散符号化器は、放送すべき情報を含む入力を受信し、前記放送すべき情報を表す前記スペクトル拡散信号を含む出力を生成し、
該情報フォーマット化能力は、データバッファと情報フォーマット化出力とを含み、該情報フォーマット化出力はフォーマット化された情報を含み、該フォーマット化された情報は該スペクトル拡散符号化器への入力を含む、請求項１に記載の放送サブシステム。
【請求項６】
前記周波数帯域は、放送チャンネルを含み、前記通信チャンネルは、放送通信チャンネルまたはポイント・ツー・ポイント通信チャンネルを含む、請求項５に記載の放送サブシステム。
【請求項７】
前記放送チャンネルは、ポイント・ツー・ポイント通信チャンネルを含み、
前記放送すべき情報は、複数のメッセージを含み、
前記情報フォーマット化能力は、該複数のメッセージのうちの１つのメッセージを第１の加入者局にアドレス指定する機能をさらに含む、請求項６に記載の放送サブシステム。
【請求項８】
前記スペクトル拡散符号化器への入力は、複数のデータメッセージを含み、前記放送サブシステムは、該複数のデータメッセージのうちの少なくとも１つが該加入者局に放送されることを要求する加入者局から送信を受信する、請求項５に記載の放送サブシステム。
【請求項９】
第１の加入者局受信機と加入者局送信機とを備えた加入者局であって、
該第１の加入者局受信機は、該加入者局送信機が通信チャンネル上に信号を送信すると同時に、放送者からスペクトル拡散信号を受信可能であり、該スペクトル拡散信号は、該加入者局に放送される情報を表し、該スペクトル拡散信号は、該通信チャンネルを含む周波数帯域にわたって拡散されている、加入者局。
【請求項１０】
前記通信チャンネルは、セルラーシステムのチャンネルを含む、請求項９に記載の加入者局。
【請求項１１】
前記加入者局は、第２の加入者局受信機をさらに備え、
該第２の加入者局受信機は、地球上の通信チャンネルで信号を受信するための回路を含み、
前記加入者局送信機は、該地球上の通信チャンネルで信号を送信するための回路を含む、請求項９に記載の加入者局。
【請求項１２】
前記加入者局は、前記加入者局送信機を用いて前記放送者に信号を送信する、請求項９に記載の加入者局。
【請求項１３】
前記放送される情報は、放送チャンネルで送信され、
該放送チャンネルは、放送通信チャンネルまたはポイント・ツー・ポイント通信チャンネルを含む、請求項９に記載の加入者局。
【請求項１４】
前記放送チャンネルは、ポイント・ツー・ポイント通信チャンネルを含み、前記放送されるべき情報は、複数のメッセージを含む、請求項１３に記載の加入者局。
【請求項１５】
前記加入者局は、前記複数のメッセージのうちの少なくとも１つが該加入者局に放送されることを要求する前記放送者にメッセージを送信する、請求項１３に記載の加入者局。
【請求項１６】
放送する方法であって、
放送すべき情報を受信することと、
スペクトル拡散フォーマットで加入者局への該放送すべき情報の表現を含む第１の信号を生成することと、
通信チャンネルを含む周波数帯域で該第１の信号を送信することと
を包含し、
該第１の信号は、該加入者局による第２の信号の受信と該加入者局による第３の信号の送信と同時に、該加入者局によって受信され、該第２の信号および該第３の信号のそれぞれは、該通信チャンネルで送信される、放送する方法。
【請求項１７】
前記第２の信号は、地球上の通信チャンネルで受信され、前記第３の信号は、地球上の通信チャンネルで送信される、請求項１６に記載の放送する方法。
【手続補正２】
【補正対象書類名】明細書
【補正対象項目名】００１３
【補正方法】変更
【補正の内容】
【００１３】
好ましい実施例においては、データ源１０１は、送信すべき種々の異なったタイプのデータを発生（又はフォーマット化）する。これらは、テキスト、グラフィックス（画像）、デジタル化された音声、デジタル化された画像、もしくは移動するビデオ又は混合されたメディア；デジタル化された写真と天気図とを含む経済ニュース及び天気データ；航空機及び鉄道の時刻表データ；高解像度のグラフィックの広告及びアニメーションを含む用意されている小売店の陳列の最新のものへの更新（アップデート）；記憶されている承認及び正しいという確認及び証明のための、クレジットによる支払いとクレジットカードのデータ；化学、法学、医学、及び薬理学のデータベースを含む百科事典又は他のデータベース、並びに広告や電話のリスト；高品質のファクシミリの画像及び他の印刷画像；並びに、航空機、自動車及びコンピュータのマニュアルを含む文書形式のマニュアルのための最新のものへの更新（アップデート）とを含む。
送信局１０２によって送信されるべきデータは、ある周波数帯域にわたって送信されかつ拡散されるべきデータのスペクトル拡散フォーマットでの表現を有する電力増幅された電磁波信号の形式を有してもよい。とって代わる実施例においては、送信局１０２によって送信されるべきデータは、ある周波数帯域で拡散された、第１のスペクトル拡散信号で送信され、当該周波数帯域と関連する少なくとも１つの別の送信と重畳されるべきデータを備えた複合の電力増幅された電磁波信号の形式を有してもよい。実施例においては、上記周波数帯域は、共用された地域上の通信チャンネル又はセルラー通信チャンネルに対応する。別の実施例においては、上記周波数帯域は、約１８５０ＭＨｚと約２２００ＭＨｚの間の少なくとも１つの周波数を備える。
【手続補正３】
【補正対象書類名】明細書
【補正対象項目名】００１５
【補正方法】変更
【補正の内容】
【００１５】
好ましい実施例においては通信チャンネル１０３は、衛星通信の技術において公知であるように、アップリンク局１０６と、（好ましくは広い領域のサービスエリア（ｆｏｏｔｐｒｉｎｔ）を有する）衛星及びトランスポンダ１０７と、ダウンリンク局１０８とを備えてもよい。衛星通信の技術においてよく知られているように、アップリンク１０６は送信機局１０２に接続され、ダウンリンク局１０８は加入者局１０４に接続されるとともに、屋内で装着可能な１つのアンテナ素子を備えてもよい。
実施例においては、通信チャンネル１０３は、予め決められた複数の周波数の組を備える。さらに、上記通信チャンネル１０３は、例えば、１つの非データ送信、１つの非デジタル送信、又は音声送信のような、他のタイプの送信と共用してもよい。
【手続補正４】
【補正対象書類名】明細書
【補正対象項目名】００１８
【補正方法】変更
【補正の内容】
【００１８】
好ましい実施例において、通信チャンネル１０３は、地球上の固定通信又は放送通信に割り当てされたような、共用された通信チャンネル又は周波数帯域を備えてもよい。実施例においては、通信チャンネル１０３は、約１８００ＭＨｚと約２２００ＭＨｚとの間の少なくとも１つの周波数を備える。特に、好ましい実施例においては、通信チャンネル１０３は、１組の基地局２０２と１組のセル２０３とを有するセルラーシステム２０１を備えてもよい。当該セルラーシステム２０１においては、送信すべきデータは、送信機局１０２から、送信機基地局２０２へ、（可能であれば、１組のレピータ（中継器）２０４を介して）受信機基地局２０２へ、ユーザ基地局２０５へ、セルラーシステム２０１に割り当てられた周波数帯域を用いて送信される。好ましい実施例においては、送信機局１０２は、送信機局２０２とともに並置されてもよいし、ケ−ブルによって送信機局２０２に接続されてもよく、並びに同一のアンテナを共用してもよい。戻って来たメッセージはユーザ局２０５から同様の方法で送信機局１０２に送信されてもよい。
【手続補正５】
【補正対象書類名】明細書
【補正対象項目名】００２１
【補正方法】変更
【補正の内容】
【００２１】
図３は、加入者局のブロック図である。
好ましい実施例においては、加入者局１０４は、複数の異なった通信チャンネルを用いて同時に１つを超える数の信号を受信することができる。
【手続補正６】
【補正対象書類名】明細書
【補正対象項目名】００２３
【補正方法】変更
【補正の内容】
【００２３】
好ましい実施例においては、加入者局１０４はまた、第３の通信チャンネル上で動作する加入者送信機３０２を備え、送信機局１０２は第３の通信チャンネル１０３上で動作する受信機を備える。例えば好ましい実施例においては、第３の通信チャンネル１０３はまた、セルラーシステム２０１が送信機局１０２と加入者局１０４との間の双方向通信のために用いることができるように、図２に図示されたセルラーシステム２０１を備えてもよい。（すなわち、第３の通信チャンネル１０３は第１の通信チャンネル１０３と同一である。）
実施例においては、上記第３の通信チャンネル１０３は、共用された地球上の通信チャンネルを備えてもよい。
このように、加入者局１０４は、（図１を参照して記述したような他の情報と同様に）セルラーシステム２０１又は衛星システム１０５によって送信すべきデータを受信し、セルラーシステム２０１又は衛星システム１０５によって応答してもよい。この応答は、衛星システム１０５による別のデータ又は他の送信のための要求を備えてもよく、送信機局１０２は衛星システム１０５によって送信された別のデータとともにその要求に対して応答するようにしてもよい。
実施例においては、１つ又はそれ以上のデータ送信は、第１の通信チャンネル１０３と第２のチャンネル１０３の両方を介して加入者局１０４に送信してもよい。次いで、加入者局１０４は送信局１０２に要求を送信して、上記第１の通信チャンネル１０３上で受信されたデータに応答して第２の通信チャンネル１０３上のデータを受信する。上記要求を受信した後、送信局１０２は、第２の通信チャンネル１０３上のデータを加入者局１０４に送信してもよい。
【手続補正７】
【補正対象書類名】明細書
【補正対象項目名】００２４
【補正方法】変更
【補正の内容】
【００２４】
図４は、送信機局のブロック図である。
実施例において、送信局１０２は地球上の通信チャンネル上で動作し、スペクトル拡散のフォーマットで複数の信号を送信してもよく、ここで、上記地球上のチャンネルは、少なくとも１つの送信で共用され、当該送信は、非データ送信、非デジタル送信、又は音声送信を含むことができる。
【手続補正８】
【補正対象書類名】明細書
【補正対象項目名】００２６
【補正方法】変更
【補正の内容】
【００２６】
好ましい実施例においては、フォーマット化モジュール４０１は、データ源１０１からのデータを受信するためのバッファ４０７を備えるとともに、メッセージ伝送のプロトコルの技術において公知であるように、送信すべきデータ４０９と、メッセージがパッケージ化されたデータ４１０とを有するメッセージ信号４０８を発生する。例えば、好ましい実施例においては、メッセージは、メッセージがパッケージ化されたデータ４１０における３２ビットの個々のアドレスによって示すことによって、複数の個々の加入者局１０４にアドレス割り当てされて送信される。好ましい実施例においては、フォーマット化モジュール４０１は、複数のデータチャンネルのためのデータをフォーマット化し、各データチャンネル上で送信すべきデータを多重化し、各データチャンネルを最大２５６個の論理サブチャンネルに分割してもよい。
【手続補正９】
【補正対象書類名】明細書
【補正対象項目名】００２９
【補正方法】変更
【補正の内容】
【００２９】
データ圧縮モジュール４０２は、データ圧縮の技術において公知であるように、送信すべきデータをよりコンパクトな形式に符号化する。好ましい実施例においては、データ圧縮モジュール４０２はファクシミリに出力すべきものとして示されているデータのためのグループＩＩＩデータ圧縮技術を使用する。好ましい実施例においては、データ圧縮モジュールは圧縮された形式においてキーワードでサーチ可能なテキストデータのためのアスキー（ＡＳＣＩＩ）圧縮技術を使用してもよく、より低い解像度のプリンタヘの出力のために、また、グラフィックスモニタ上での表示のために、自動的に縮小又は拡大された画像データのための圧縮技術を用いてもよい。“アルファベット拡張”を用いないデータ圧縮技術が、好ましい。